(57)【要約】【課題】過去の番組と同じ番組であっていずれ放送される番組の予約操作を簡略化すること。【解決手段】番組関連情報取得部２０２は、取得して番組関連情報記憶部２２１に保存した過去の所定日数分の複数の番組の番組関連情報に基づいて、ＯＳＤ生成部２０４が生成した過去の日時のＥＰＧ画面から選択された任意の番組の番組関連情報を、予約番組関連情報記憶部２２２に予約番組関連情報として記憶する。さらに、記憶された予約番組関連情報に対して番組検索の検索条件を設定しておき、番組関連情報取得部２０２が新たな番組関連情報を取得したときに、番組予約部２０３は記憶された予約番組関連情報に対する検索条件に合致する番組を検索して、番組検索で検出された番組を予約する。【選択図】  図２
2010193151.tif 000002
【特許請求の範囲】
【請求項１】
電子番組表を構築するための複数の番組の番組関連情報を取得する情報取得手段と、
前記情報取得手段が取得した前記番組関連情報から、過去の日時の電子番組表を構築するために当該番組関連情報を所定期間保持する情報保持手段と、
前記情報保持手段が保持する前記番組関連情報により前記過去の日時の電子番組表を提示して、当該提示した電子番組表から任意の番組を選択することをユーザに許可する電子番組表提示手段と、
前記電子番組表提示手段が提示した前記電子番組表から選択された前記任意の番組の番組関連情報を記憶する記憶手段と、
前記情報取得手段が新たな番組関連情報を取得した場合に、前記記憶手段が記憶する前記番組関連情報と合致する番組を検索して、当該検索された番組を予約する番組予約手段と、
を具備することを特徴とする番組予約装置。
【請求項２】
前記電子番組表提示手段が提示した前記電子番組表から前記任意の番組が選択されたときに、当該選択された任意の番組の番組関連情報から検索条件とする複数の項目を任意に選択することをユーザに許可する検索条件選択手段と、
を具備し、
前記番組予約手段は、前記情報取得手段が取得した前記新たな番組関連情報から、前記検索条件選択手段で選択された前記複数の項目が合致する番組を検索することを特徴とする請求項１記載の番組予約装置。
【請求項３】
前記検索条件選択手段は、前記選択された任意の番組の番組提供手段に対して番組を検索するときの優先順位を付すことをユーザに許可することを特徴とする請求項２記載の番組予約装置。
【請求項４】
前記番組予約手段は、前記選択された任意の番組の番組関連情報と合致する番組を検索した場合は、当該検索した番組を予約するかを選択することをユーザに許可することを特徴とする請求項１記載の番組予約装置。
【請求項５】
電子番組表を構築するための複数の番組の番組関連情報を取得し、
前記取得した番組関連情報から、過去の日時の電子番組表を構築するために当該番組関連情報を所定期間保持し、
前記保持する番組関連情報により前記過去の日時の電子番組表を提示して、当該提示した電子番組表から任意の番組を選択することをユーザに許可し、
前記提示した電子番組表から選択された前記任意の番組の番組関連情報を記憶し、
新たな番組関連情報を取得した場合に、前記記憶する番組関連情報と合致する番組を検索して、当該検索された番組を予約する、
ことを特徴とする番組予約方法。
【発明の詳細な説明】
【技術分野】
【０００１】
本発明は、視聴や録画のための番組を予約する番組予約装置および番組予約方法に関する。
【背景技術】
【０００２】
近年、番組のタイトルや放送日時などの番組関連情報を電子番組表（以下ＥＰＧと称する）に利用するテレビジョン受像機やＤＶＤレコーダなどの放送受信装置が広く普及している。そして、ＥＰＧを利用して番組の視聴や録画を予約する機能を備えた放送受信装置も普及している。
【０００３】
例えば、特許文献１によれば、過去に取得した情報によるＥＰＧから任意の番組を選択したときに、その時点で取得しているＥＰＧから同じタイトルの番組またはシリーズに所属する番組を検索する手法が公開されている。
【先行技術文献】
【特許文献】
【０００４】
【特許文献１】特開２００１−１８６４２９号公報（図１  段落００２７）
【発明の概要】
【発明が解決しようとする課題】
【０００５】
しかし、特許文献１による手法では、過去のＥＰＧから選択した番組と同一のタイトルの番組またはシリーズに所属する番組を、その時点で取得しているＥＰＧから検索する手法であったので、それ以降に取得されるＥＰＧから対象番組を検索するときには、検索条件を設定しなおす必要があり番組の予約操作が煩雑であった。
【０００６】
そこで、本発明は上述した課題を解決するために、過去の番組と同じ番組であっていずれ放送される番組の予約操作を簡略化できる番組予約装置および番組予約方法を提供することを目的とする。
【課題を解決するための手段】
【０００７】
本発明は上述した課題を解決するため、電子番組表を構築するための複数の番組の番組関連情報を取得する情報取得手段と、前記情報取得手段が取得した前記番組関連情報から、過去の日時の電子番組表を構築するために当該番組関連情報を所定期間保持する情報保持手段と、前記情報保持手段が保持する前記番組関連情報により前記過去の日時の電子番組表を提示して、当該提示した電子番組表から任意の番組を選択することをユーザに許可する電子番組表提示手段と、前記電子番組表提示手段が提示した前記電子番組表から選択された前記任意の番組の番組関連情報を記憶する記憶手段と、前記情報取得手段が新たな番組関連情報を取得した場合に、前記記憶手段が記憶する前記番組関連情報と合致する番組を検索して、当該検索された番組を予約する番組予約手段と、を具備することを特徴とするものである。
【０００８】
また本発明は上述した課題を解決するため、電子番組表を構築するための複数の番組の番組関連情報を取得し、前記取得した番組関連情報から、過去の日時の電子番組表を構築するために当該番組関連情報を所定期間保持し、前記保持する番組関連情報により前記過去の日時の電子番組表を提示して、当該提示した電子番組表から任意の番組を選択することをユーザに許可し、前記提示した電子番組表から選択された前記任意の番組の番組関連情報を記憶し、新たな番組関連情報を取得した場合に、前記記憶する番組関連情報と合致する番組を検索して、当該検索された番組を予約する、ことを特徴とするものである。
【発明の効果】
【０００９】
本発明によれば、過去の番組と同じ番組であっていずれ放送される番組の予約操作を簡略化できる。
【図面の簡単な説明】
【００１０】
【図１】本発明の実施形態に係る番組予約装置であるテレビジョン受像機の構成を示すブロック図。
【図２】図１で説明した信号処理制御部およびＨＤＤによって実行される複数の処理を説明するための機能ブロック図。
【図３】過去の日時のＥＰＧ画面の提示処理によって提示される過去の日時のＥＰＧ画面の一実施形態を示す図。
【図４】番組の検索条件を設定する画面の一実施形態を示す図。
【図５】過去の日時のＥＰＧ画面の提示処理および過去の日時のＥＰＧ画面から選択された番組の検索条件設定処理、番組検索で検出された番組を予約する処理による一連の処理を説明するためのフローチャート。
【図６】検出された番組の予約を通知する画面の一実施形態を示す図。
【図７】検出された番組の予約を通知する画面の変形例を示す図。
【発明を実施するための形態】
【００１１】
以下、本発明における実施形態について図面を用いて説明する。
図１は、本発明の実施形態に係る番組予約装置であるテレビジョン受像機の構成を示すブロック図である。なお本実施形態では番組予約装置をテレビジョン受像機に適用した例を示すが、本実施形態と同様の構成を備えたＨＤＤレコーダ、ＤＶＤレコーダ、情報処理端末、携帯移動端末などであってもよい。
【００１２】
テレビジョン受像機１０は、放送波処理部２０、操作部３１、受光部３２、信号処理制御部４０、ネットワークＩＦ部５１、表示器６１、スピーカ６２、ＨＤＤ７１などで構成されている。
【００１３】
放送波処理部２０は、アンテナＡＴによって受信されたデジタル放送波やアナログ放送波の信号を取得して、この取得した信号に対して特定チャンネルの選局や復調復号処理を施し、映像音声データの他にＥＰＧのためのデータが含まれる信号を信号処理制御部４０に出力する。本実施形態では、未来の日時のＥＰＧのためのデータである複数の番組の番組関連情報が含まれる信号を取得する。なお具体的には、ＥＰＧのためのデータとしてデジタル放送波で適用されるＭＰＥＧ２−ＴＳのデータシステムにおけるＳＩ（Service  Information）などが利用可能である。
【００１４】
操作部３１は、装置を操作する操作入力の情報を受信する。同様に受光部３２は、リモコンＲＣからの操作入力の情報を受光（受信）する。本実施形態では、ＥＰＧを利用した番組選択の操作入力や、番組の検索条件の設定の操作入力、検索した番組の予約確定の操作入力などの情報を受信する。
【００１５】
ネットワークＩＦ部５１は、ＬＡＮなどによりインターネットや家庭内ネットワークに接続し、接続したインターネットを介して提供される番組のデータやＥＰＧのためのデータなどを取得して信号処理制御部４０へ出力する。またＬＡＮなどにより外部ＨＤＤやメモリーカードなどの記録媒体に接続して、番組のデータやＥＰＧのためのデータなどをやりとりする。本実施形態では、未来の日時のＥＰＧのためのデータである複数の番組の番組関連情報が含まれるデータを取得する。
【００１６】
信号処理制御部４０は、入力された信号に対してＭＰＥＧ符号化／復号化演算処理や、映像信号と音声信号の分離処理、信号からのデータ抽出処理、または圧縮された信号の解凍処理などを施して、映像音声データを出力すると共に、ＣＰＵを備えていて各ブロックを利用して複数の処理を制御する。本実施形態では、過去の日時のＥＰＧ画面の提示処理や、番組の検索条件の設定処理、番組の検索処理および予約処理などを制御する。
【００１７】
表示器６１は、信号処理制御部４０から入力された映像信号を表示する、例えばＬＣＤ（Liquid  Crystal  Display）などのディスプレイである。本実施形態では、過去の日時のＥＰＧ画面、番組の検索条件を設定する画面、検出された検索条件に合致する番組の予約を通知する画面などを表示する。
【００１８】
スピーカ６２は、信号処理制御部４０から入力された音声信号を出力する。
ＨＤＤ７１は、放送波処理部２０やネットワークＩＦ部５１などを介して取得した番組のデータやＥＰＧのためのデータなどを保存し、この保存した番組の再生やコピーのために番組のデータを出力し、過去の日時のＥＰＧ画面の提示のためにＥＰＧのためのデータを出力する。本実施形態では、過去の日時のＥＰＧのためのデータである複数の番組の番組関連情報や、番組の検索条件の情報、予約のために選択された番組の番組関連情報などを保存する。
【００１９】
なお、図示していないメモリーカードＩＦ部を介してメモリーカードなどに接続して、番組のデータやＥＰＧのためのデータなどをやりとりする実施形態であってもよい。
【００２０】
すなわち本発明の実施形態に係る番組予約装置であるテレビジョン受像機１０は、以上の構成により、過去の日時のＥＰＧ画面を提示し、番組の検索条件を設定する画面を提示し、予約していた番組の検索条件に合致する番組を検索し、検索された番組を予約する。そして、これらの処理は主に信号処理制御部４０およびＨＤＤ７１によって実行されるものである。
【００２１】
次に、図１で説明したテレビジョン受像機１０に備えられた信号処理制御部４０およびＨＤＤ７１によって実行される複数の処理を、図２を用いて説明する。
図２は、信号処理制御部４０およびＨＤＤ７１によって実行される複数の処理を説明するための機能ブロック図である。
なお、信号処理制御部４０は、日時管理部２０１、番組関連情報取得部２０２、番組予約部２０３、ＯＳＤ生成部２０４、予約実行部２１１などで構成されている。またＨＤＤ７１は、番組関連情報記憶部２２１、予約番組関連情報記憶部２２２、予約記憶部２２３などで構成されている。
【００２２】
日時管理部２０１は、発振部（不図示）による所定周期の信号に基づいて計時して日時を管理する。
番組関連情報取得部２０２は、日時管理部２０１が管理する日時情報に基づいて、放送波処理部２０やネットワークＩＦ部５１などを介して未来の日時のＥＰＧのための複数の番組のタイトルや放送日時などの番組関連情報を取得して、番組関連情報記憶部２２１に出力する。また過去の日時のＥＰＧ画面の提示を要求されたときに、要求された日時の番組関連情報を番組関連情報記憶部２２１から読み出してＯＳＤ生成部２０４に出力する。さらに提示した過去の日時のＥＰＧ画面を利用して任意の番組が予約のために選択されたときに、当該予約のために選択された番組の番組関連情報を番組関連情報記憶部２２１から読み出して、予約番組関連情報として予約番組関連情報記憶部２２２に出力すると共に、予約のために選択された番組を特定可能な情報を番組予約部２０３に通知する。
【００２３】
番組予約部２０３は、番組関連情報取得部２０２から通知された情報に基づいて、予約番組関連情報を予約番組関連情報記憶部２２２から読み出して、番組の検索条件を設定する画面を提示するために、ＯＳＤ生成部２０４に出力する。そして番組の検索条件を設定する画面を利用して設定された検索条件の情報を予約番組関連情報記憶部２２２に出力する。また新たな番組関連情報を取得した情報を番組関連情報取得部２０２から通知されたときに、予約番組関連情報を検索条件の情報と併せて予約番組関連情報記憶部２２２から読み出し、さらに番組関連情報記憶部２２１に保存された新たな番組関連情報を読み出して照合する。そして予約のために選択された番組の検索条件に合致する番組が検出されたときに、検出された検索条件に合致する番組の予約を通知する画面を提示するために当該検出された番組の番組関連情報をＯＳＤ生成部２０４に出力する。
【００２４】
ＯＳＤ生成部２０４は、番組関連情報取得部２０２から出力された過去の日時の複数の番組の番組関連情報によって過去の日時のＥＰＧ画面を生成する。また番組予約部２０３から出力された特定の番組の番組関連情報によって、番組の検索条件を設定する画面または検出された検索条件に合致する番組の予約を通知する画面などを生成する。
【００２５】
予約実行部２１１は、予約記憶部２２３に記憶された特定の番組の視聴や録画の予約を、日時管理部２０１が管理する日時情報に基づいて実行する。
番組関連情報記憶部２２１は、番組関連情報取得部２０２が取得した複数の番組の番組関連情報を保存する。また番組予約部２０３による番組検索のために保存している複数の番組の番組関連情報を出力する。なお過去の日時のＥＰＧ画面の生成のために、過去の所定日数分の番組関連情報を保存する。
【００２６】
予約番組関連情報記憶部２２２は、過去の日時のＥＰＧ画面から予約のために選択された番組の番組関連情報である予約番組関連情報を保存し、当該番組の検索条件を設定する画面により設定された検索条件の情報を併せて保存する。また番組予約部２０３が予約のために選択された番組と合致する番組を検索するときに、保存している予約番組関連情報を番組予約部２０３に出力する。
【００２７】
予約記憶部２２３は、予約実行部２１１が実行する特定の番組の視聴や録画の予約のための情報を記憶する。また番組予約部２０３から出力される、予約のために選択された番組と合致する番組の予約のために、当該番組の番組関連情報を保存する。
【００２８】
そして図２で示すそれぞれの機能ブロックによって、過去の日時のＥＰＧ画面の提示処理や、提示された過去の日時のＥＰＧ画面を利用した番組予約処理など、複数の処理が実行される。
【００２９】
［過去の日時のＥＰＧ画面の提示処理］
まず、信号処理制御部４０およびＨＤＤ７１によって実行される、過去の日時のＥＰＧ画面の提示処理を、図２を用いて説明する。
番組関連情報取得部２０２は、放送波処理部２０やネットワークＩＦ部５１などを介して取得した、ＥＰＧのためのデータである番組関連情報を番組関連情報記憶部２２１に出力する。そして、番組関連情報記憶部２２１は入力された複数の番組の、過去の所定日数分の番組関連情報を保存する。
【００３０】
このとき、番組関連情報取得部２０２は、操作部３１やリモコンＲＣにより過去の任意の日時のＥＰＧ画面を提示する操作入力の情報を受信すると、番組関連情報記憶部２２１に保存した過去の日時の複数の番組の番組関連情報を取得して、この取得した番組関連情報をＯＳＤ生成部２０４に出力する。そして、ＯＳＤ生成部２０４は入力された番組関連情報に基づいて過去の日時のＥＰＧ画面を生成して、この生成した過去の日時のＥＰＧ画面を表示器６１に出力し、表示器６１は入力された過去の日時のＥＰＧ画面を表示する。
【００３１】
なお、番組関連情報取得部２０２は日時管理部２０１が管理する日時情報に基づいて、所定の時間間隔や所定の時間になったとき、所定の曜日になったときなどに、放送波処理部２０やネットワークＩＦ部５１などを介して番組関連情報を取得する。また、操作部３１やリモコンＲＣによりＥＰＧのための番組関連情報を取得する処理を行う操作入力の情報を受信したときにも、同様に番組関連情報を取得する。
【００３２】
すなわち、過去の日時のＥＰＧ画面の提示処理は、番組関連情報取得部２０２が取得した過去の所定日数分の番組関連情報を番組関連情報記憶部２２１に保存して、過去の日時のＥＰＧ画面の提示を要求されたときには、番組関連情報記憶部２２１に保存された過去の日時の番組関連情報に基づいて、ＯＳＤ生成部２０４が過去の日時のＥＰＧ画面を生成して、表示器６１が表示するものである。
【００３３】
［過去の日時のＥＰＧ画面から選択された番組の検索条件設定処理］
次に、信号処理制御部４０およびＨＤＤ７１によって実行される、過去の日時のＥＰＧ画面から予約のために番組を選択して、選択された番組の検索条件を設定する処理を、図２、図３、図４を用いて説明する。
【００３４】
図３は過去の日時のＥＰＧ画面の提示処理によって提示される過去の日時のＥＰＧ画面の一実施形態を示す図である。また図４は、番組の検索条件を設定する画面の一実施形態を示す図である。
【００３５】
なお、過去の日時のＥＰＧ画面から選択された番組の検索条件設定処理は、過去の日時のＥＰＧ画面を利用して任意の番組を予約のために選択して、この選択した番組の番組関連情報を記憶しておき、この記憶した番組関連情報に合致する番組を検索するときの検索条件を設定するものである。
【００３６】
ところで、前述の過去の日時のＥＰＧ画面の提示処理によって過去の日時のＥＰＧ画面を表示している状態では、操作部３１やリモコンＲＣにより、表示された過去の日時のＥＰＧ画面上で強調表示される番組を切り換える操作入力の情報を受信して、過去の日時のＥＰＧ画面上で選択対象の番組を切り換えることができる。
【００３７】
具体的には、図３に示す過去の日時である２００９年２月９日火曜日の、ＡＭ９：００からＰＭ１：００までの時間帯にＣＨ１〜ＣＨ５で放送が予定されていた番組タイトルをマトリクス状に表示する過去の日時のＥＰＧ画面において、“ＣＨ３”の“ＡＭ１０〜ＰＭ００”に放送が予定されていた“映画「バックとフューザーＰａｒｔ１」”が強調表示されて選択対象の番組となっている。
【００３８】
このときに、操作部３１やリモコンＲＣなどの特定のボタンが押下されることにより、強調表示されている番組を選択する操作入力の情報を受信すると、番組関連情報取得部２０２は選択番組の番組関連情報を番組関連情報記憶部２２１から読み出して、予約番組関連情報記憶部２２２に予約番組関連情報として保存する。さらに番組関連情報取得部２０２は選択番組を特定可能な情報を番組予約部２０３に通知する。
【００３９】
そして番組予約部２０３は、通知された選択番組を特定可能な情報を元に当該番組の予約番組関連情報を予約番組関連情報記憶部２２２から読み出して、この読み出した予約番組関連情報をＯＳＤ生成部２０４に出力する。そして、ＯＳＤ生成部２０４は入力された予約番組関連情報に基づいて、番組の検索条件を設定する画面を生成して表示器６１に出力し、表示器６１は入力された画面を表示する。
【００４０】
具体的には、図４に示す番組タイトル“映画「バックとフューザーＰａｒｔ１」”の番組関連情報に基づいた、番組の検索条件を設定する画面を出力する。この例では、番組関連情報の各項目としての、大ジャンル、中ジャンル、言語、二重音声、映像、アスペクト、話数、ネットワーク優先順位などの項目名が提示され、さらにそれぞれの項目名に対応して、選択番組から抽出されたそれぞれの番組関連情報と“指定なし”とが表示された表示エリアが選択可能に提示されている。
【００４１】
すなわち、ユーザは番組関連情報の各項目に対して、操作部３１やリモコンＲＣなどによって、番組の検索条件として設定するかを選択することが可能である。例えば、項目名“大ジャンル”が“映画”である番組を検索するか、それとも“指定無し”として“大ジャンル”を検索条件に含めないか、を選択することができる。そして“大ジャンル”以外の項目名に対しても、検索条件としてそれぞれに対して、選択番組の番組関連情報か“指定なし”か、を選択することできる。
【００４２】
なお特に、項目名“ネットワーク優先順位”に関しては、ＢＳ、ＣＳ、地デジ、ネット（ネットワークの省略表示を意味する）の中で優先順位を付して設定することができ、この例では、ＢＳ放送波の番組を優先して検索して、次いで、ＣＳ、地デジ、ネットの順序で検索するように設定している。なお順序はこの例に限ったものではない。
【００４３】
そして表示された、番組の検索条件を設定する画面において、番組関連情報の各項目に対して検索条件の選択を行ってから、操作部３１やリモコンＲＣなどに備えられた、選択番組の検索条件を確定するボタンが押下されることにより、検索条件を確定する操作入力の情報を受信すると、番組予約部２０３は各項目の選択番組の検索条件を予約番組関連情報記憶部２２２に保存する。そして、番組の検索条件を設定する画面は出力されなくなる。
【００４４】
すなわち、提示された過去の日時のＥＰＧ画面を利用して任意の番組が予約のために選択されると、この予約のために選択された番組の番組関連情報が予約番組関連情報記憶部２２２に予約番組関連情報として保存され、さらに予約のために選択された番組の番組関連情報に基づいて検索条件がユーザによって設定されて、この設定された検索条件が併せて予約番組関連情報記憶部２２２に保存されるので、過去の日時のＥＰＧ画面から予約のために選択された番組の番組関連情報と合致する番組を検索することが可能になる。
【００４５】
そして、この後には検索された番組を予約する処理が行われる。
［番組検索で検出された番組を予約する処理］
次に、信号処理制御部４０およびＨＤＤ７１によって実行され、過去の日時のＥＰＧ画面から選択された番組の検索条件設定処理の後に行われる、番組検索で検出された検索条件に合致する番組を予約する処理を、図５、図６を用いて説明する。
【００４６】
図５は、過去の日時のＥＰＧ画面の提示処理および過去の日時のＥＰＧ画面から選択された番組の検索条件設定処理、番組検索で検出された番組を予約する処理による一連の処理を説明するためのフローチャートである。
【００４７】
すなわち、過去の日時のＥＰＧ画面の提示処理により、図３に示すような過去の日時のＥＰＧ画面が表示されて（Ｓ５０１）いるときに、過去の日時のＥＰＧ画面から選択された番組の検索条件設定処理により、任意の番組が選択されて（Ｓ５０２）、この選択された番組の番組関連情報が予約番組関連情報として記憶され（Ｓ５０３）、さらにこの記憶された予約番組関連情報に対して検索条件が設定される（Ｓ５０４）。
【００４８】
そしてこの状態で、番組関連情報取得２０２が、日時管理部２０１が管理する日時情報に基づいて、放送波処理部２０やネットワークＩＦ部５１などを介して未来の日時のＥＰＧ画面のためのデータである、新たな複数の番組の番組関連情報を取得すると（Ｓ５０５）、番組予約部２０３は、予約番組関連情報を検索条件の情報と併せて予約番組関連情報記憶部２２２から読み出す。さらに番組予約部２０３は、番組関連情報記憶部２２１に保存された未来の日時のＥＰＧ画面のための番組関連情報を読み出して照合、すなわち番組検索をする（Ｓ５０６）。
【００４９】
そして、番組検索により検索条件に合致する番組が検出されなかった場合（Ｓ５０７のＮ）は、予約のために選択された他の番組の予約番組関連情報が、予約番組関連情報記憶部２２２に、他に保存されているかを判断する（Ｓ５０９）。一方、合致する番組が検出された場合（Ｓ５０７のＹ）は、検出された番組を予約候補として（Ｓ５０８）、予約のために選択された他の番組の予約番組関連情報が他に保存されているかを判断する（Ｓ５０９）。
【００５０】
そして他に保存されている場合（Ｓ５０９のＹ）は、該当する予約番組関連情報を読み出して未来の日時のＥＰＧ画面のための番組関連情報から検索し（Ｓ５０６）、検索条件との合致を判断する（Ｓ５０７）。一方、他の番組の予約番組関連情報が他に保存されてない場合（Ｓ５０９のＮ）は、予約候補とされた番組を予約する（Ｓ５１０）。
【００５１】
なお番組予約部２０３が、予約する番組の番組関連情報を予約記憶部２２３に出力し、予約記憶部２２３が入力された番組関連情報を保存することで番組が予約される。そして予約実行部２１１は、日時管理部２０１が管理する日時情報と予約記憶部２２３が保存する番組関連情報に基づいて予約を実行する。
【００５２】
ところで、予約候補とされた番組を予約するときには、図６に示す、検出された検索条件に合致する番組の予約を通知する画面を表示器６１に表示する。図６は、検出された番組の予約を通知する画面の一実施形態を示す図である。
【００５３】
この画面には、番組のタイトル、チャンネル、放送日時、ジャンル、などの番組関連情報の項目名が表示され、またそれぞれの項目名に対応する、予約候補とされた番組の番組関連情報が併せて表示される。なお図４に示す番組の検索条件を設定する画面において“設定無し”とした番組関連情報である“言語”に関しては、過去の日時のＥＰＧ画面にから予約のために選択された番組では“日本語”であったが、“英語”である番組が検索された例を示している。またさらに画面下方には、予約番号を付して当該番組を予約したことを示すメッセージも表示される。
【００５４】
なお、過去の日時のＥＰＧ画面から予約のために選択された番組が複数ある場合には、それぞれの番組の検索結果に応じて、検出された検索条件に合致する番組の予約を通知する画面が複数、順次表示される実施形態であってもよい。
【００５５】
また検索の結果、予約候補とされた番組が複数検出された場合には、検出された全ての番組に対応する、検出された検索条件に合致する番組の予約を通知する画面が、順次表示される実施形態であってもよい。
【００５６】
すなわち、検出された番組を予約する処理は、予約候補となった番組の番組関連情報に対して、新たに取得された複数の番組関連情報から任意の検索条件に合致する番組を検索して合致する番組が検出されたとき、当該検出された番組の番組関連情報と共に当該検出された検索条件に合致する番組の予約を通知する画面を表示する処理である。
【００５７】
［変形例］
図５に示すフローチャートにおける番組を予約する処理は、当該番組を予約するか否かをユーザに選択可能に提示してから予約する実施形態であってもよい。
すなわち、予約のために選択された他の番組の予約番組関連情報が他に保存されてない場合（Ｓ５０９のＮ）は、番組検索により検出され予約候補とされた番組の番組関連情報と併せて、当該番組を予約するか否かをユーザに選択可能に提示して、予約することが選択された番組を予約する処理を行う。
【００５８】
なお、予約候補とされた番組の番組関連情報と併せて、当該番組を予約するかをユーザに選択可能に提示するために、図７に示す、検出された検索条件に合致する番組の予約を通知する画面を表示する。
【００５９】
図７は、検出された番組の予約を通知する画面の変形例を示す図である。
この画面には、図６に示す、検出された検索条件に合致する番組の予約を通知する画面と同様に、予約候補とされた番組の番組関連情報が、当該関連情報の項目名とともに表示される。そして画面下方には、予約候補とされた番組を予約するか否かを選択するメッセージと選択ボタンが表示される。そしてユーザは操作部３１やリモコンＲＣなどを利用して、表示された選択ボタンにより当該番組を予約するか否かを選択する。
【００６０】
なお、画面に表示された選択ボタンを利用するのではなく、リモコンＲＣに備えられたボタンに選択するか否かを割り当てて、当該ボタンを押下することで予約するか否かを選択する実施形態であってもよい。
【００６１】
また、検出された検索条件に合致する番組の予約を通知する画面の一実施形態および変形例は、番組検索により合致する番組が検出されたときに表示される実施形態を説明したが、予約した番組をリスト表示するメニュー画面を表示することが要求されたときや、本実施形態に係る番組予約装置を起動したとき、番組検索により検出された検索条件に合致する番組を確認することが要求されたときなどに表示される実施形態であってもよい。
【００６２】
以上説明したように本実施形態によれば、過去の日時のＥＰＧ画面を利用するなどして、任意に選択された番組の番組関連情報を記憶し、この記憶した番組関連情報に基づいて検索条件を設定して番組検索を行い、検出された番組を予約するので、過去の番組と同じ番組であっていずれ放送される番組の予約操作を簡略化することができる。
【００６３】
また本発明は、上述した実施形態に限定されるものではなく、本発明の要旨を変えない範囲において、種々の変更、改変等が可能である。
【符号の説明】
【００６４】
１０…テレビジョン受像機、２０…放送波処理部、３１…操作部、３２…受光部、４０…信号処理制御部、５１…ネットワークＩＦ部、６１…表示器、６２…スピーカ、７１…ＨＤＤ、２０１…日時管理部、２０２…番組関連情報取得部、２０３…番組予約部、２０４…ＯＳＤ生成部、２１１…予約実行部、２２１…番組関連情報記憶部、２２２…予約番組関連情報記憶部、２２３…予約記憶部。
【図１】
2010193151.tif 000003
【図２】
2010193151.tif 000004
【図３】
2010193151.tif 000005
【図４】
2010193151.tif 000006
【図５】
2010193151.tif 000007
【図６】
2010193151.tif 000008
【図７】
2010193151.tif 000009